(57)【要約】【課題】互いに異なる複数の周波数の電圧を治療部分に印加させることができる治療器及び導子を提供する。【解決手段】第１の電圧発生部１０−１は第１の周波数の電圧を発生させる。第２の電圧発生部１０−２は、第２の周波数の電圧を発生させる。第１の導子３−１には、第１の電圧発生部１０−１が発生させる第１の周波数の電圧が間に印加される一対の電極１２ａ、及び、第２の電圧発生部１０−２が発生させる第２の周波数の電圧が間に印加される一対の電極のうちの一方である電極１２ｂ−１が設けられている。第２の導子３−２には、第２の周波数の電圧が間に印加される一対の電極１２ｂのうちの他方が設けられている。【選択図】図１
2015131030.tif 000002
【特許請求の範囲】
【請求項１】
第１の周波数の電圧を発生させる第１の電圧発生部と、
前記第１の周波数とは異なる第２の周波数の電圧を発生させる第２の電圧発生部と、
前記第１の電圧発生部が発生させる前記第１の周波数の電圧が間に印加される一対の電極、及び、前記第２の電圧発生部が発生させる前記第２の周波数の電圧が間に印加される一対の電極のうちの一方が設けられている第１の導子と、
前記第２の周波数の電圧が間に印加される一対の電極のうちの他方が設けられている第２の導子と、
を備えることを特徴とする治療器。
【請求項２】
前記第１の導子には、前記第１の周波数の電圧が間に印加される一対の電極が、前記第２の周波数の電圧が間に印加される一対の電極のうちの一方を囲むよう配置されている、
ことを特徴とする請求項１に記載の治療器。
【請求項３】
パルス電流を発生させるパルス電流発生部と、
電圧を発生させる電圧発生部と、
前記パルス電流発生部が発生させるパルス電流が間に流れる一対の電極、及び、前記電圧発生部が発生させる電圧が間に印加される一対の電極のうちの一方が設けられている第１の導子と、
前記電圧が間に印加される一対の電極のうちの他方が設けられている第２の導子と、
を備えることを特徴とする治療器。
【請求項４】
前記第１の導子には、前記パルス電流が間に流れる一対の電極が、前記電圧が間に印加される一対の電極のうちの一方を囲むよう配置されている、
ことを特徴とする請求項３に記載の治療器。
【請求項５】
第１の周波数の電圧が間に印加される一対の電極と、
他の導子が備える電極との間に前記第１の周波数とは異なる第２の周波数の電圧が印加される電極と、
を備える導子。
【請求項６】
パルス電流が間に流れる一対の電極と、
他の導子が備える電極との間に電圧が印加される電極と、
を備える導子。
【発明の詳細な説明】
【技術分野】
【０００１】
本発明は、治療器及び導子に関する。
【背景技術】
【０００２】
低周波パルスが印加される電極によって生体の筋肉等に対して電気刺激を与えることができる低周波治療器が知られている（例えば、特許文献１参照）。また、２つの電極で治療部分を両側から挟み、当該２つの電極間にラジオ波を印加し、電極間の治療部分を加温する高周波治療器も知られている。
【先行技術文献】
【特許文献】
【０００３】
【特許文献１】特開２００６−０２６１３８号公報
【発明の概要】
【発明が解決しようとする課題】
【０００４】
従来の治療器は、互いに異なる複数の周波数の電圧を治療部分に印加できなかった。そのため従来の治療器では、例えば治療部分を加温するとともに電気刺激を与えるなどのように、互いに異なる複数の周波数の電圧のそれぞれが治療部分に印加された際の効果を得ることができなかった。
【０００５】
本発明は、上記課題に鑑みてなされたものであって、その目的の１つは、互いに異なる複数の周波数の電圧を治療部分に印加できる治療器及び導子を提供することにある。
【課題を解決するための手段】
【０００６】
上記課題を解決するために、本発明に係る治療器は、第１の周波数の電圧を発生させる第１の電圧発生部と、前記第１の周波数とは異なる第２の周波数の電圧を発生させる第２の電圧発生部と、前記第１の電圧発生部が発生させる前記第１の周波数の電圧が間に印加される一対の電極、及び、前記第２の電圧発生部が発生させる前記第２の周波数の電圧が間に印加される一対の電極のうちの一方が設けられている第１の導子と、前記第２の周波数の電圧が間に印加される一対の電極のうちの他方が設けられている第２の導子と、を備えることを特徴とする。
【０００７】
本発明の一態様では、前記第１の導子には、前記第１の周波数の電圧が間に印加される一対の電極が、前記第２の周波数の電圧が間に印加される一対の電極のうちの一方を囲むよう配置されている。
【０００８】
また、本発明に係る別の治療器は、パルス電流を発生させるパルス電流発生部と、電圧を発生させる電圧発生部と、前記パルス電流発生部が発生させるパルス電流が間に流れる一対の電極、及び、前記電圧発生部が発生させる電圧が間に印加される一対の電極のうちの一方が設けられている第１の導子と、前記電圧が間に印加される一対の電極のうちの他方が設けられている第２の導子と、を備えることを特徴とする。
【０００９】
本発明の一態様では、前記第１の導子には、前記パルス電流が間に流れる一対の電極が、前記電圧が間に印加される一対の電極のうちの一方を囲むよう配置されている。
【００１０】
また、本発明に係る導子は、第１の周波数の電圧が間に印加される一対の電極と、他の導子が備える電極との間に前記第１の周波数とは異なる第２の周波数の電圧が印加される電極と、を備えることを特徴とする。
【００１１】
また、本発明に係る別の導子は、パルス電流が間に流れる一対の電極と、他の導子が備える電極との間に電圧が印加される電極と、を備えることを特徴とする。
【図面の簡単な説明】
【００１２】
【図１】本発明の一実施形態に係る治療器の構成の一例を模式的に示す図である。
【図２】本発明の一実施形態に係る第１の導子の一例を示す斜視図である。
【図３】図２に示す導子の底面図である。
【図４】比較例に係る治療器の構成の一例を模式的に示す図である。
【発明を実施するための形態】
【００１３】
以下、本発明の一実施形態について図面に基づき詳細に説明する。
【００１４】
図１は、本発明の一実施形態に係る治療器１の構成の一例を模式的に示す図である。図１に示すように、本実施形態に係る治療器１は、本体部２と、第１の導子３−１と、第２の導子３−２と、を備えている。
【００１５】
本体部２は、第１の周波数の電圧を発生させる第１の電圧発生部１０−１と、第２の周波数の電圧を発生させる第２の電圧発生部１０−２と、を備える。本実施形態では、第１の周波数と第２の周波数とは異なっており、第２の周波数の方が第１の周波数よりも高い。
【００１６】
本実施形態に係る第１の電圧発生部１０−１は例えば第１の周波数のパルス電圧を発生させる発振回路である。本実施形態に係る第１の電圧発生部１０−１は、例えば低周波、より具体的には例えば、数百ヘルツ以下の周波数のパルス電圧を発生させる。
【００１７】
本実施形態に係る第２の電圧発生部１０−２は例えば第２の周波数の電圧を発生させる発振回路である。そして、本実施形態に係る第２の電圧発生部１０−２は、例えばラジオ波の帯域である０．３ＭＨｚや０．５ＭＨｚなどといった周波数の電圧を発生させる。
【００１８】
そして本実施形態では、第１の電圧発生部１０−１が、一対の電極１２ａ（１２ａ−１及び１２ａ−２）と電気的に接続されている。また、第２の電圧発生部１０−２は、一対の電極１２ｂ（１２ｂ−１及び１２ｂ−２）と電気的に接続されている。そして第１の導子３−１の表面には、第１の電圧発生部１０−１と電気的に接続されている一対の電極１２ａ（１２ａ−１及び２ａ−２）と、第２の電圧発生部１０−２と電気的に接続されている一対の電極１２ｂのうちの一方である電極１２ｂ−１と、が設けられている。そして第２の導子３−２の表面には、第２の電圧発生部１０−２と電気的に接続されている一対の電極１２ｂのうちの他方である電極１２ｂ−２が設けられている。そして本実施形態では、治療器１の利用者は、図１に示すように、第１の導子３−１と第２の導子３−２とで治療部分１４を両側から挟んで使用する。具体的には例えば、利用者は第１の導子３−１が備える電極１２ａ−１、電極１２ａ−２、及び、電極１２ｂ−１を人体の背中に接触させ、第２の導子３−２が備える電極１２ｂ−２を人体の腹部に接触させる。
【００１９】
本実施形態では、第１の電圧発生部１０−１は、電極１２ａ−１と電極１２ａ−２との間に第１の周波数のパルス電圧を印加してパルス電流を流す。このように本実施形態では、第１の電圧発生部１０−１は、パルス電流を発生させるパルス電流発生部としての役割も担っている。第２の電圧発生部１０−２は、電極１２ｂ−１と電極１２ｂ−２との間に第２の周波数の電圧を印加する。このことによって本実施形態では電極１２ｂ−１から治療部分１４にラジオ波が放射されることとなる。
【００２０】
電極１２ａ−１と電極１２ａ−２との間への第１の周波数の電圧の印加と、電極１２ｂ−１と電極１２ｂ−２との間への第２の周波数の電圧の印加と、は同時に行われるようにしてもよいし、交互に行われるようにしてもよい。また、電極１２ａ−１と電極１２ａ−２との間への第１の周波数の電圧の印加と、電極１２ｂ−１と電極１２ｂ−２との間への第２の周波数の電圧の印加とのいずれか一方だけが行われるようにしてもよい。
【００２１】
図２は、第１の導子３−１の一例を示す斜視図である。図３は、図２に示す導子の底面図である。本実施形態に係る電極１２ｂ−１は、略円柱形状であり、第１の導子３−１の底面の中央に設けられている。本実施形態に係る電極１２ａ−１及び電極１２ａ−２は、それぞれ略半リング形状の同型であり、その外縁及び内縁は略円形である第１の導子３−１の底面の輪郭に沿っている。そして、電極１２ａ−１及び電極１２ａ−２は、電極１２ｂ−１を囲むよう対称に配置されている。本実施形態では、第１の導子３−１の底面が円形であるため、上記のように電極１２ａ−１及び電極１２ａ−２を配置することで、パルス電流が流れる面積をなるべく広くすることができる。また、電極１２ｂ−１からのリーク電流が電極１２ａ−１にも電極１２ａ−２にも略同程度流れることとなるので、電極１２ｂ−１からのリーク電流が電極１２ａ−１と電極１２ａ−２との電位差に与える影響を抑えることができる。
【００２２】
また、第１の導子３−１の底面の径方向に沿った電極１２ａ−１の２つの縁、及び、第１の導子３−１の底面の径方向に沿った電極１２ａ−２の２つの縁は、略平面形状である。そして、第１の導子３−１の底面の径方向に沿った電極１２ａ−１の２つの縁のうち図３における上側のものと、第１の導子３−１の底面の径方向に沿った電極１２ａ−２の２つの縁のうち図３における上側のものとは対向している。また、第１の導子３−１の底面の径方向に沿った電極１２ａ−１の２つの縁のうち図３における下側のものと、第１の導子３−１の底面の径方向に沿った電極１２ａ−２の２つの縁のうち図３における下側のものとは対向している。また本実施形態では、第１の導子３−１の底面の径方向に沿った電極１２ａ−１の２つの縁それぞれについての当該縁と当該縁に対向する電極１２ａ−２の縁との間の長さ、電極１２ｂ−１の縁と電極１２ａの内縁との間の長さは、略同じである。本実施形態に係る第１の導子３−１のうち、電極１２ａ−１、１２ａ−２、１２ｂ−１以外の部分は、樹脂により一体的に成形されている。そして、本実施形態に係る第１の導子３−１は空洞になっている。当該空洞には、一対の電極１２ａ（１２ａ−１及び１２ａ−２）と第１の電圧発生部１０−１とを電気的に接続するケーブル、及び、電極１２ｂ−１と第２の電圧発生部１０−２とを電気的に接続するケーブルなどが配置される。
【００２３】
本実施形態では、第２の導子３−２は例えばプレート状の形状をしている。
【００２４】
本実施形態では、電極１２ａ−１と電極１２ａ−２との間に第１の電圧発生部１０−１が発生させるパルス電圧が印加され、電極１２ａ−１と電極１２ａ−２との間にパルス電流が流れるため、治療部分１４に電気刺激を与えることができることとなる。また一対の電極１２ｂ（１２ｂ−１及び１２ｂ−２）の間に印加される電圧の周波数を適切に設定することによって、治療部分１４を加温させることができることとなる。このようにして本実施形態に係る治療器１によれば、治療部分１４を加温させつつ治療部分１４に電気刺激を与えることができる。また本実施形態に係る治療器１は、治療部分１４の浅部の加温や軟部組織の加温に適したキャパティブモードでの動作、又は、治療部分１４の深部加温に適したレジスティブモードでの動作のいずれかを選択的に実行できるようになっている。
【００２５】
図４は、比較例に係る治療器１０１の構成の一例を模式的に示す図である。比較例に係る治療器１は、本体部１０２と、第１の導子１０３−１と、第２の導子１０３−２と、を備えている。本体部１０２は、第１の周波数の電圧を発生させる第１の電圧発生部１１０−１と、第２の周波数の電圧を発生させる第２の電圧発生部１１０−２と、を備える。そして、第１の導子１０３−１の表面には電極１１２−１が設けられており、第２の導子１０３−２の表面には電極１１２−２が設けられている。そして、電極１１２−１及び電極１１２−２が治療部分１１４と接触するようにして治療器１０１は使用される。
【００２６】
発明者らは、当初、図４に示すように、第１の電圧発生部１１０−１を電極１１２−１及び電極１１２−２と電気的に接続し、第２の電圧発生部１１０−２を電極１１２−１及び電極１１２−２と電気的に接続してみた。しかし発明者らは、このようにしても、第１の周波数の電圧及び第２の周波数の電圧を治療部分１１４に印加させることができないことに気付いた。
【００２７】
そこで発明者らは、図１に示すように、第１の電圧発生部１０−１と第２の導子３−２が備える電極１２ｂ−２とを電気的に接続させないようにした。そして発明者らは、第１の電圧発生部１０−１と電気的に接続される一対の電極１２ａ（１２ａ−１及び１２ａ−２）を第２の電圧発生部１０−２と電気的に接続される電極１２ｂ−１とは別に第１の導子３−１に設けるようにした。このようにすることで、互いに異なる複数の周波数の電圧を治療部分１４に印加させることが可能となった。そのため、例えば治療部分１４を加温するとともに電気刺激を与えるなどのように、互いに異なる複数の周波数の電圧のそれぞれが治療部分１４に印加された際の効果を得ることができることとなった。
【００２８】
なお、本発明は上述の実施形態に限定されるものではない。
【００２９】
例えば上記の具体的な数値は例示であり、これらの数値には限定されない。具体的には例えば、第１の周波数と第２の周波数は上述のものに限定されない。例えば第１の周波数が第２の周波数よりも高くても構わない。
【符号の説明】
【００３０】
１  治療器、２  本体部、３  導子、１０  電圧発生部、１２ａ  電極、１２ｂ  電極、１４  治療部分、１０１  治療器、１０２  本体部、１０３  導子、１１０  電圧発生部、１１２  電極、１１４  治療部分。
【図１】
2015131030.tif 000003
【図２】
2015131030.tif 000004
【図３】
2015131030.tif 000005
【図４】
2015131030.tif 000006